(57)【要約】      （修正有）【課題】発光ダイオード光源から白色照明光と有色ムード光を同時に射出できる発光ダイオードランプを提供する。【解決手段】発光ダイオードランプ１００が、ランプシェード１１０と、有色透光カバー１２０と、導光材１３０と、発光ダイオード光源とを含む。ランプシェードが収容槽を有する。有色透光カバーが開口を有し、かつ収容槽１１２を被覆する。導光材が収容槽内に配置され、有色透光カバーが開口を通じて導光材の一部を露出する。発光ダイオード光源が導光材に対応するよう収容槽内に配置される。発光ダイオード光源が光線を導光材へ発射し、導光材から照明光が発射され、かつ光線が有色透光カバーへ射出されて、有色透光カバーからムード光が透射される。【選択図】図２
0003150934.tif 000002
【実用新案登録請求の範囲】
【請求項１】
発光ダイオードランプであって、
収容槽を有するランプシェードと、
開口を有し、かつ前記収容槽を被覆する有色透光カバーと、
前記有色透光カバーの前記開口を介して、一部を露出されるように、前記収容槽内に配置される導光材と、
光線を前記導光材へ発射して、前記導光材から照明光を射出し、かつ前記光線が前記有色透光カバーへ透射されて、前記有色透光カバーからムード光を射出するように、前記導光材に対応するよう前記収容槽内に配置さる発光ダイオード光源とを備えることを特徴とする発光ダイオードランプ。
【請求項２】
前記ランプシェードが更に複数のフック部を有し、かつ前記発光ダイオードランプが更に、
前記有色透光カバーに連接され、かつ、それぞれ前記した複数の構造的干渉を形成する複数のフック材と、
前記発光ダイオード光源が上に配置され、かつそれと導通するように、前記収容槽内に配置される回路板と、
前記ランプシェードに組み込まれる第２ケーシングと、
前記第２ケーシング内に配置され、かつ前記回路板に導通する配電板と、
少なくとも１つの導電材であり、前記配電板に連接されて前記配電板に導通し、かつ前記導電材の一部が前記第２ケーシングにおいて露出される導電材とを備えることを特徴とする請求項１記載の発光ダイオードランプ。
【請求項３】
前記複数のフック材および前記複数のフック部が、前記収容槽内に配置されることを特徴とする請求項２記載の発光ダイオードランプ。
【請求項４】
前記複数のフック材の各々が、第１ガイド斜面を有することを特徴とする請求項２記載の発光ダイオードランプ。
【請求項５】
前記有色透光カバーに連接された複数の定位材を更に含み、且つ前記ランプシェードが前記収容槽内に複数の定位溝を有して、前記複数の定位材を挟むために用いられることを特徴とする請求項１から請求項４の何れかに記載の発光ダイオードランプ。
【請求項６】
前記複数の定位材の各々が第２ガイド斜面を有することを特徴とする請求項５記載の発光ダイオードランプ。
【請求項７】
前記ランプシェードが更に前記収容槽の上端周囲に位置する上表面を有し、かつ前記有色透光カバーが前記上表面に寄りかかるものであることを特徴とする請求項１から請求項６の何れかに記載の発光ダイオードランプ。
【請求項８】
前記ランプシェードが、更に前記上表面に位置する第１環状構造を有し、かつ前記有色透光カバーを枠に嵌めるために用いることを特徴とする請求項７記載の発光ダイオードランプ。
【請求項９】
前記有色透光カバーが更に前記開口を取り囲む第２環状構造を有し、前記導光材を枠に嵌めるために用いることを特徴とする請求項１から請求項８の何れかに記載の発光ダイオードランプ。
【請求項１０】
前記導光材が、更に前記有色透光カバーおよび前記収容槽の底面間に夾置される第１ケーシングと、
前記第１ケーシングならびに前記ランプシェードがそれを露出するように、前記第１ケーシング内に配置されるレンズとを含むことを特徴とする請求項１から請求項９の何れかに記載の発光ダイオードランプ。
【請求項１１】
前記第１ケーシングが透光性を備えることを特徴とする請求項１０記載の発光ダイオードランプ。
【請求項１２】
前記第１ケーシングが環状溝を有し、かつ前記レンズが前記環状溝に嵌め込まれる環状リムを備えることを特徴とする請求項１０記載の発光ダイオードランプ。
【請求項１３】
前記第１ケーシングおよび前記レンズが収納凹槽を定義して、前記発光ダイオード光源を収納するために用いることを特徴とする請求項１０記載の発光ダイオードランプ。
【請求項１４】
前記有色透光カバーが、複数の散熱開孔を更に有することを特徴とする請求項１から請求項１３の何れかに記載の発光ダイオードランプ。
【請求項１５】
前記ランプシェードが、複数の散熱スリットを更に有することを特徴とする請求項１から請求項１４の何れかに記載の発光ダイオードランプ。
【考案の詳細な説明】
【技術分野】
【０００１】
この考案は、ランプに関し、特に、発光ダイオードランプ（Light-Emitting Diode Lamp）に関する。
【背景技術】
【０００２】
発光ダイオード（Light-Emitting Diode）は、半導体デバイスに属し、その発光チップの材料がＩＩＩ−Ｖ族化学元素の化合物、例えば、ガリウムリン（ＧａＰ）またはガリウムヒ素（ＧａＡｓ）を主要に使用しており、その発光原理は、電気エネルギーを光エネルギーに変換するものである。詳細に言うと、発光ダイオードは、化合物半導体に対して電流を印加することにより、電子と正孔との結合を介して過剰なエネルギーを光の形式で放出する。発光ダイオードの発光現象は、加熱発光または放電発光ではないので、発光ダイオードの寿命は、十万時間以上に達する。また、発光ダイオードは、速い反応速度、小さい体積、省電力、少ない汚染、高い信頼性及び量産に適している等の利点があるから、発光ダイオードの応用領域は、例えば、大型看板、交通信号灯、携帯電話、スキャナー・ファクシミリの光源ならびに発光ダイオードランプなど、相当に広範である。
【考案の概要】
【考案が解決しようとする課題】
【０００３】
発光ダイオードランプについて言えば、それが照明機能を提供する以外にも、しばしば装飾またはムード機能を兼ね備えている。例えば、展示商品を照明する展示灯として用いれば、もしも、それが照明光を提供すると同時に、また商品の属性に合わせて各種色彩を有するムード光を提供することができれば、消費者の眼をさらに引きつけることができる。
【考案の目的】
【０００４】
そこで、この考案の目的は、１つの光源から白色照明光と有色ムード光を同時に射出できる発光ダイオードランプを提供することにある。
【課題を解決するための手段】
【０００５】
この考案は、発光ダイオードランプを提供するものであり、ランプシェードと、有色透光カバーと、導光材と、発光ダイオード光源とを含む。ランプシェードが収容槽を有する。有色透光カバーが開口を有し、かつ収容槽を被覆する。導光材が、有色透光カバーが開口を通じて導光材の一部を露出するように、収容槽内に配置される。発光ダイオード光源が導光材に対応するよう収容槽内に配置される。発光ダイオード光源が光線を導光材へ射出し、導光材から照明光が発射され、かつ光線が有色透光カバーへ透射されて、有色透光カバーからムード光が射出される。
【０００６】
この考案の実施形態中、上記したランプシェードが更に複数のフック部を有し、かつ発光ダイオードランプが更に複数のフック材と回路板と第２ケーシングと配電板と少なくとも１つの導電材とを備える。フック材が有色透光カバーに連接され、かつそれぞれのフック部と部構造的干渉を形成する。回路板が収容槽内に配置され、そのうち、発光ダイオード光源が回路板上に配置され、かつ回路板に導通する。第２ケーシングがランプシェードに組み込まれる。配電板が第２ケーシング内に配置され、かつ回路板に導通する。導電材が配電板に連接されて配電板に導通し、かつ導電材の一部が第２ケーシングにおいて露出される。
【０００７】
この考案の実施形態中、上記したフック材およぶフック部が収容槽内に配置される。
【０００８】
この考案の実施形態中、上記した各フック材が第１ガイド斜面を有する。
【０００９】
この考案の実施形態中、上記した発光ダイオードランプが更に有色透光カバーに連接された複数の定位材を含み、そのうち、ランプシェードが収容槽内に複数の定位溝を有して複数の定位材を挟むために用いられる。
【００１０】
この考案の実施形態中、上記した各定位材が第２ガイド斜面を有する。
【００１１】
この考案の実施形態中、上記したランプシェードが更に収容槽の上端周囲に位置する上表面を有し、かつ有色透光カバーが上表面に寄りかかるものである。
【００１２】
この考案の実施形態中、上記したランプシェードが更に上表面に位置する第１環状構造を有し、有色透光カバーを枠に嵌めるために用いる。
【００１３】
この考案の実施形態中、上記した有色透光カバーが更に開口を取り囲む第２環状構造を有し、前記導光材を枠に嵌めるために用いる。
【００１４】
この考案の実施形態中、上記した導光材が第１ケーシングとレンズとを含む。第１ケーシングが有色透光カバーおよび収容槽の底面間に夾置される。レンズが第１ケーシング内に配置され、そのうち、第１ケーシングならびにランプシェードがレンズを露出する。
【００１５】
この考案の実施形態中、上記した第１ケーシングが透光性を備える。
【００１６】
この考案の実施形態中、上記した第１ケーシングが１ケーシングが環状溝を有し、かつレンズが環状溝に嵌め込まれる環状リムを備える。
【００１７】
この考案の実施形態中、上記した第１ケーシングおよびレンズが収納凹槽を定義して、発光ダイオード光源を収納するために用いる。
【００１８】
この考案の実施形態中、上記した有色透光カバーが更に複数の散熱開孔を有する。
【００１９】
この考案の実施形態中、上記したランプシェードが更に複数の散熱スリットを有する。
【作用】
【００２０】
上記に基づいて、この考案の発光ダイオードランプは、その発光ダイオード光源がそれぞれ導光材と有色透光カバーとを通して照明光とムード光とを射出することができ、かつユーザーが必要により異なる色彩の有色透光カバーを選択使用することができる。
【考案の効果】
【００２１】
つまり、この考案の発光ダイオードランプは、その発光ダイオード光源が導光材および有色透光カバーをそれぞれ通して照明光ならびにムード光を射出することができ、かつユーザーが必要により異なる色彩の有色透光カバーを選択使用することができる。また、有色透光カバーに連接された複数のフック材およびフック材に対応するようランプシェードに位置する複数のフック部によって、有色透光カバーとランプシェードとの組み立てが更に便利で迅速なものとなる。
【図面の簡単な説明】
【００２２】
【図１】この考案の実施形態にかかる発光ダイオードランプを示す立体図である。
【図２】図１の発光ダイオードランプの要部構造の断面を示す立体図である。
【図３】図１の発光ダイオードランプを示す分解立体図である。
【考案を実施するための形態】
【００２３】
以下、この考案を実施するための形態を図面に基づいて説明する。
図１は、この考案の実施形態にかかる発光ダイオードランプを示す立体図である。図２は、発光ダイオードランプの要部構造立体図である。図３は、発光ダイオードランプの分解立体図である。図１と図２と図３とにおいて、この実施形態の発光ダイオードランプ１００は、ランプシェード１１０と、有色透光カバー１２０と、導光材１３０と、発光ダイオード光源１４０を備える。ランプシェード１１０は、収容槽１１２を有する。有色透光カバー１２０は、開口１２２を有し、かつ収容槽１１２を被覆する。導光材１３０は、収容槽１１２内に配置され、かつ有色透光カバー１２０が開口１２２を通して導光材１３０の一部を露出させる。発光ダイオード光源１４０は、導光材１３０に対応するよう収容槽１１２内に配置される。
【００２４】
図２において、発光ダイオード光源１４０が光線Ｌを導光材１３０へ発射するために用いられ、導光材１３０から照明光Ｌ'が射出され、かつ光線Ｌが有色透光カバー１２０へ射出されて、有色透光カバー１２０からムード光Ｌ''が透射される。この実施形態中、発光ダイオードランプ１００は、例えば、展示商品（図示せず）を照射するために用いられる展示灯である。ユーザーは、商品の属性またはその他の必要により、異なる色彩を備える有色透光カバー１２０を有する発光ダイオードランプ１００を選択使用して、ムード光Ｌ''を変化と選択性に富んだものとできる。
【００２５】
図２と図３とにおいて、発光ダイオードランプ１００は、更に、有色透光カバー１２０に連接された複数のフック材１５０を含み、かつランプシェード１１０が更に複数のフック部１１４を有し、そのうち、フック材１５０がそれぞれフック部１１４と構造的干渉を形成して、有色透光カバー１２０をランプシェード１１０に固定する。注意すべきは、通常のビス固定の組立方式と比較して、フック材１５０およびフック部１１４を介して有色透光カバー１２０とランプシェード１１０とを組み立てれば、より便利で迅速なものとなることである。詳しく言えば、使用者が各フック材１５０を各フック部１１４に合わせるだけで、有色透光カバー１２０とランプシェード１１０とが圧接されて、組立が完了する。
【００２６】
この実施形態中、フック材１５０およびフック部１１４は、収容槽１１２内に位置し、外力によりフック材１５０がフック部１１４から脱落する確率を低下させる。各フック材１５０が第１ガイド斜面１５２を有する。使用者が有色透光カバー１２０をランプシェード１１０に組み合わせる過程において、第１ガイド斜面１５２がガイド効果を有して、各フック材１５０がスムーズに各フック部１１４に引っかかるようにする。
【００２７】
発光ダイオードランプ１００は、更に、有色透光カバー１２０に連接された複数の定位材１６０を備え、かつランプシェード１１０が収容槽１１２内に位置する複数の定位溝Ｒ１を備える。定位材１６０が定位溝Ｒ１内に嵌め込まれるために用いられ、有色透光カバー１２０およびランプシェード１１０の結合が更に安定したものとなる。また、各定位材１６０が第２ガイド斜面１６２を備える。第２ガイド斜面１６２は、第１ガイド斜面１５２に類似したガイド効果を有して、有色透光カバー１２０をスムーズにランプシェード１１０に組み合わせることができる。注意すべきは、この実施形態中、各フック材１５０が各フック部１１４に引っかかると同時に、その対応する定位溝定位溝Ｒ１内に嵌め込まれて、同時に定位効果も有することである。
【００２８】
図２と図３とにおいて、ランプシェード１１０が収容槽１１２上端周囲に位置する上表面１１６を備え、かつ有色透光カバー１２０が上表面１１６に寄りかかる。また、ランプシェード１１０が上表面１１６に位置する第１環状構造１１８を有する。第１環状構造１１８は、有色透光カバー１２０を枠に嵌めるために用いられ、有色透光カバー１２０が上表面１１６で滑動するのを防止する。
【００２９】
この実施形態中、有色透光カバー１２０が開口１２２を取り囲む第２環状構造１２４を有する。第２環状構造１２４が導光材１３０を枠に嵌めるために用いられ、導光材１３０を収容槽１１２内の位置に固定する。導光材１３０が第１ケーシング１３２およびレンズ１３４を含む。第１ケーシング１３２が有色透光カバー１２０と収容槽１１２の底面１１２ａとの間に夾まれる。レンズ１３４が第１ケーシング１３２内に配置される。第１ケーシング１３２とランプシェード１１０とがレンズ１３４を露出させて、照明光Ｌ'がレンズ１３４から射出されるようにする。また、第１ケーシング１３２が透光性を有して、光線Ｌが有色透光カバー１２０を透過できるようにする。
【００３０】
図２において、第１ケーシング１３２が環状溝１３２ａを有し、かつレンズ１３４が環状リム１３４ａを有する。環状リム１３４ａが環状溝１３２ａに嵌め込まれて、レンズ１３４を第１ケーシング１３２内に固定する。第１ケーシング１３２とレンズ１３４とが収納凹槽Ｒ２を定義する。収納凹槽Ｒ２が発光ダイオード光源１４０を収納するために用いられ、かつ発光ダイオード光源１４０が収納凹槽Ｒ２内に夾まれるように置かれて、導光材１３０と発光ダイオード光源１４０との相対的な位置を固定することができる。
【００３１】
図１と図２と図３とにおいて、有色透光カバー１２０が複数の散熱開孔１２６を有し、かつランプシェード１１０が複数の散熱スリット１２０ａを有して、発光ダイオードランプ１００の散熱効率を向上させる。例えば、使用者が散熱スリット１２０ａを上方へ向けて、散熱スリット１２０ａが熱空気上昇の原理によりランプシェード１１０内の熱空気を排出する機能を有するようすれば、散熱開孔１２６は、有色透光カバー１２０外の冷空気を吸入する機能を持つことができる。
【００３２】
注意すべきは、フック材１５０と定位材１６０と有色透光カバー１２０とが射出成形技術により、一体成形構造とすることができ、フック材１５０および定位材１６０の材質を有色透光カバー１２０と同一な有色透光材料とすることである。散熱スリット１２０ａがフック材１５０および定位材１６０を露出させ、発光ダイオード光源１４０の発射した光線Ｌがフック材１５０および定位材１６０へ透射されて、フック材１５０および定位材１６０からムード光Ｌ''を射出する（図２に示す）。言い換えれば、この実施形態の発光ダイオードランプ１００は、有色透光カバー１２０からムード光Ｌ''を射出だけでなく、更に、ランプシェード１１０の側面からもムード光Ｌ''を射出することができる。
【００３３】
この実施形態中、発光ダイオードランプ１００は、更に、回路板１７０と、第２ケーシング１８０と、配電板１９０と、少なくとも１つの導電材Ｃ（図示では、２個）とを含む。回路板１７０が収容槽１１２内に配置される。発光ダイオード光源１４０が回路板１７０上に配置され、かつ回路板１７０と導通する。第２ケーシング１８０がランプシェード１１０の外側に組み込まれる。配電板１９０が第２ケーシング１８０内に配置され、かつ回路板１７０と導通する。導電材Ｃが配電板１９０に連接されて、配電板１９０と導通する。導電材Ｃの一部が第２ケーシング１８０から露出されて、それが外部の供給電源（図示せず）への連接に適したものとなり、発光ダイオード光源１４０の必要とする電力を提供する。また、図２と図３とにおいて、この実施形態の回路板１７０および第２ケーシング１８０が複数のビスＳによりランプシェード１１０にネジ止めされる。
【００３４】
以上のごとく、この考案を実施形態により開示したが、もとより、この考案を限定するためのものではなく、当業者であれば容易に理解できるように、この考案の技術思想の範囲内において、適当な変更ならびに修正が当然なされうるものであるから、その実用新案権保護の範囲は、実用新案登録請求の範囲および、それと均等な領域を基準として定められなければならない。
【符号の説明】
【００３５】
１００  発光ダイオードランプ
１１０  ランプシェード
１１２  収容槽
１１２ａ  底面
１１４  フック部
１１６  上表面
１１８  第１環状構造
１２０  有色透光カバー
１２０ａ  散熱スリット
１２２  開口
１２４  第２環状構造
１２６  散熱開孔
１３０  導光材
１３２  第１ケーシング
１３２ａ  環状溝
１３４  レンズ
１３４ａ  環状リム
１５０  フック材
１５２  第１ガイド斜面
１６０  定位材
１６２  第２ガイド斜面
１７０  回路板
１８０  第２ケーシング
１９０  配電板
Ｃ  導電材
Ｌ  光線
Ｌ'  照明光
Ｌ''  ムード光
Ｒ１  定位溝
Ｒ２  収納凹槽
Ｓ  ビス
【図１】
0003150934.tif 000003
【図２】
0003150934.tif 000004
【図３】
0003150934.tif 000005